(57)【要約】【課題】発光部材内で蛍光体を樹脂材料により封止する構成にすることで、発光効率を高めて設計自由度の高い構成にできる内視鏡用照明装置及び内視鏡装置を提供すること。【解決手段】内視鏡用照明装置は、内視鏡挿入部の先端に設けた照明窓４３Ａ，４３Ｂから被検体に向けて照明光を照射する。この内視鏡用照明装置は、青色半導体光源ＬＤ１と、赤色半導体光源ＬＤ２と、青色光及び赤色光を照明窓まで導光する導光部材５５と、照明窓の内側で導光部材の光出射端に配置され、赤色光を実質的に吸収せず透過させ、青色光の一部を励起光として吸収して緑色系の蛍光を発すると共に残りの一部を透過させる緑色蛍光体を含んで構成された発光部材５７Ａ，５７Ｂとを備える。この緑色蛍光体を、発光部材内で樹脂材料により封止した。【選択図】図１
2013090674.tif 000002
【特許請求の範囲】
【請求項１】
内視鏡挿入部の先端に設けた照明窓から被検体に向けて照明光を照射する内視鏡用照明装置であって、
青色光を生成する青色半導体光源と、
赤色光を生成する赤色半導体光源と、
前記青色半導体光源からの青色光及び前記赤色半導体光源からの赤色光を導光する導光部材と、
前記照明窓の内側で前記導光部材の光出射端に対面して配置された発光部材と、
を備え、
前記発光部材が、前記赤色光を実質的に吸収せず透過させ、前記青色光の一部を励起光として吸収して緑色系の蛍光を発すると共に残りの一部を透過させる緑色蛍光体を含んで構成され、
前記緑色蛍光体が、前記発光部材内で樹脂材料により封止されている内視鏡用照明装置。
【請求項２】
請求項１記載の内視鏡用照明装置であって、
前記導光部材が光ファイバからなる内視鏡用照明装置。
【請求項３】
請求項１又は請求項２記載の内視鏡用照明装置であって、
前記発光部材が、前記導光部材の光出射端に配置される光拡散部と、該光拡散部の光路前方に配置され前記緑色蛍光体が分散配置された発光部と、を有して構成される内視鏡用照明装置。
【請求項４】
請求項３記載の内視鏡用照明装置であって、
前記発光部の光路前方側が、光散乱効果を有する凹凸面で形成された内視鏡用照明装置。
【請求項５】
請求項３又は請求項４記載の内視鏡用照明装置であって、
前記発光部の前記光路に対する垂直断面において、中央部が周辺部より厚肉に形成された内視鏡用照明装置。
【請求項６】
請求項３〜請求項５のいずれか一項記載の内視鏡用照明装置であって、
前記発光部の光路後方側が、光散乱効果を有する凹凸面で形成された内視鏡用照明装置。
【請求項７】
請求項３〜請求項６のいずれか一項記載の内視鏡用照明装置であって、
前記光拡散部が透光性樹脂材料からなり、前記光拡散部の内部に前記透光性樹脂材料とは異なる材料の微小バブルが混在配置された内視鏡用照明装置。
【請求項８】
請求項７記載の内視鏡用照明装置であって、
前記光拡散部の前記微小バブルが、前記導光部材の光出射端の近傍を他の領域より高い密度で配置された内視鏡用照明装置。
【請求項９】
請求項７又は請求項８記載の内視鏡用照明装置であって、
前記微小バブルが、前記導光部材の光出射端を起点として光路前方に向けて延びる光軸を長軸とする回転楕円体である内視鏡用照明装置。
【請求項１０】
請求項７〜請求項９のいずれか一項記載の内視鏡用照明装置であって、
前記発光部に前記微小バブルが混在配置された内視鏡用照明装置。
【請求項１１】
請求項３〜請求項１０のいずれか一項記載の内視鏡用照明装置であって、
前記導光部材の光出射端と前記光拡散部との間に、前記青色光及び前記赤色光を透過し、前記蛍光体が発する蛍光を反射する蛍光反射膜を設けた内視鏡用照明装置。
【請求項１２】
請求項３〜請求項１１のいずれか一項記載の内視鏡用照明装置であって、
前記光拡散部材における前記導光部材の光出射端から前記発光部までの外周面に金属反射膜を設けた内視鏡用照明装置。
【請求項１３】
請求項１２記載の内視鏡用照明装置であって、
前記金属反射膜が銀を含んで構成された内視鏡用照明装置。
【請求項１４】
請求項３〜請求項１３のいずれか一項記載の内視鏡用照明装置であって、
前記緑色蛍光体が、前記光拡散部に分散配置され、
前記導光部材の光出射端が、前記光拡散部の内部に挿入された内視鏡用照明装置。
【請求項１５】
請求項１４の内視鏡用照明装置であって、
前記導光部材の光出射端が、光ファイバのコア部がクラッド部から外側に突出して形成された内視鏡用照明装置。
【請求項１６】
請求項３〜請求項１５のいずれか一項記載の内視鏡用照明装置であって、
前記発光部の光路前方に、前記発光部を覆う透光性無機材料層を有する内視鏡用照明装置。
【請求項１７】
請求項１６記載の内視鏡用照明装置であって、
前記透光性無機材料層が、ガラス又はサファイアからなる内視鏡用照明装置。
【請求項１８】
請求項１〜請求項１７のいずれか一項記載の内視鏡用照明装置を搭載した内視鏡装置。
【請求項１９】
請求項１８記載の内視鏡装置であって、
前記内視鏡挿入部の先端に、前記照明窓と該照明窓を収容する開口部とが配置され、
前記照明窓の光出射面上における、前記照明窓の外周縁と前記開口部の内周縁との間の環状領域を少なくとも含む範囲に、耐湿性コーティング層が形成された内視鏡装置。
【請求項２０】
請求項１８記載の内視鏡装置であって、
前記発光部の外側表面が、耐湿性コーティング層で覆われた内視鏡装置。
【請求項２１】
請求項１８記載の内視鏡装置であって、
前記内視鏡挿入部の先端に、前記照明窓と、該照明窓の外周面と接合される内周面を有する開口部とが配置され、
前記照明窓の外周面と前記開口部の内周面との間に耐湿性コーティング層が形成された内視鏡装置。
【請求項２２】
請求項１８〜請求項２１のいずれか一項記載の内視鏡装置であって、
前記耐湿性コーティング層が、アルコキシ金属塩の加水分解生成物、金属微粒子又は金属酸化物の微粒子の分散物を含む組成である内視鏡装置。
【発明の詳細な説明】
【技術分野】
【０００１】
本発明は、内視鏡用照明装置及び内視鏡装置に関する。
【背景技術】
【０００２】
内視鏡用光源装置としては、その発光源としてキセノンランプ等の白色ランプが広く使用されている。また、近年になって高効率で高輝度なレーザ光を用いるものが開発されている。レーザ光を用いる白色光源としては、例えば、青色レーザ光源と、青色レーザ光を励起光として発光する発光部材とを備えたレーザ白色光源がある。この場合の発光部材には、緑色発光の緑色蛍光体と赤色発光の赤色蛍光体が含まれており、各蛍光体は励起光を受けて緑色及び赤色に発光する。レーザ白色光源は、これら蛍光体からの発光と青色レーザ光による青色光とを混合して発光部材全体を白色に発光させ、白色の照明光を生成する。
【０００３】
上記の発光部材を内視鏡挿入部の先端に配置して、レーザ白色光源を内視鏡装置に搭載した場合、内視鏡挿入部の細径化のためには発光部材をできるだけ小さくする必要がある。ところが、発光部材の外径を例えばφ１ｍｍ以下に小型化して、この小型化された微小スポットにレーザ光を照射するとき、発光部材はレーザ光に励起されて発熱する。このときの発熱は、内視鏡装置の出力が１５０〜２００ｍＷ（１灯）程度でも１５０℃程度に達することがある。
【０００４】
蛍光体の封止材料として、例えばフェニルシリコーン等のシリコン樹脂を用いると、発光部材が上記の高温になったときに樹脂の分解が進んでしまう。また、メタノールやエタノール、ノルマルヘキサン、ベンゼン等の溶剤の揮発が始まる。そのため、一般にレーザ光を用いる場合の発光部材は、蛍光体を耐熱性の高いガラス粉末（珪酸塩ガラス等の低融点ガラス）に混合して加熱焼結したものが使用されている（特許文献１参照）。
【０００５】
しかし、蛍光体をガラス粉末と加熱焼結する際、蛍光体は６００℃もの熱に晒されて熱ダメージを受け、発光効率が低下する。また、耐熱性を要するために蛍光体の材料選択肢が狭まる不利もある。
【０００６】
また、蛍光部室は、発光波長が励起光波長から離れるほどストークスロスにより発光効率が低下する。このため、青色励起光に対して赤色発光の蛍光体を用いること自体、発光効率を低下させる要因となる。また、蛍光体の発光特性は温度依存性を有し、発光による発光部材の温度上昇に伴って緑色（黄色）発光強度と赤色発光強度のバランスが変化する。その結果、発光体の温度変化によって発光の色味が変化して、照明光の色調が変化することになる。
【０００７】
上記のような発光の色味変化を防ぐには、単に発光効率が高いことだけで、使用する蛍光体の組み合わせを決定するのでなく、蛍光体の温度変化に伴う発光効率の変化を各発光色で同じに設定する必要がある。しかし、図１６に示すように、温度上昇に伴う各色の蛍光体の発光効率は、色毎に異なるカーブを呈する。即ち、温度上昇に伴って緑色発光の蛍光体より赤色発光の蛍光体の発光効率が低くなり、発光光量比であるＲ：Ｂ比は、Ｇ：Ｂ比よりも低くなる。
【０００８】
この蛍光体の発光の温度依存性については、蛍光体の材料選定によってある程度軽減できるが、蛍光体の材料の選択自由度が損なわれる。例えば、ＹＡＧ（イットリウム・アルミ・ガーネット）蛍光体の代わりに発光効率の高いα−サイアロン（緑色発光蛍光体）を用いる場合、このα−サイアロンと同等の温度特性を有し、発光効率の高い赤色発光の蛍光体は存在しない。そのため、近い特性の蛍光体で代用せざるを得ず、結果として発光効率の低下とばらつきの増加を招くことになる。
【０００９】
更に、蛍光体を封止するための樹脂材料は、一般にレーザ光による光耐久性と耐湿性とがトレードオフの関係にある。耐湿性が高い樹脂材料は光耐久性が低いため、出射光路以外の部分等に適用され、使用範囲が限られるのが実情である。
【先行技術文献】
【特許文献】
【００１０】
【特許文献１】特許第４６３８８３７号公報
【発明の概要】
【発明が解決しようとする課題】
【００１１】
本発明は、発光部材内で蛍光体を樹脂材料により封止する構成にすることで、発光効率を高めて設計自由度の高い構成にできる内視鏡用照明装置及び内視鏡装置を提供することを目的とする。
【課題を解決するための手段】
【００１２】
本発明は下記構成からなる。
（１）  内視鏡挿入部の先端に設けた照明窓から被検体に向けて照明光を照射する内視鏡用照明装置であって、
青色光を生成する青色半導体光源と、
赤色光を生成する赤色半導体光源と、
前記青色半導体光源からの青色光及び前記赤色半導体光源からの赤色光を導光する導光部材と、
前記照明窓の内側で前記導光部材の光出射端に対面して配置された発光部材と、
を備え、
前記発光部材が、前記赤色光を実質的に吸収せず透過させ、前記青色光の一部を励起光として吸収して緑色系の蛍光を発すると共に残りの一部を透過させる緑色蛍光体を含んで構成され、
前記緑色蛍光体が、前記発光部材内で樹脂材料により封止されている内視鏡用照明装置。
（２）  （１）の内視鏡用照明装置を搭載した内視鏡装置。
【発明の効果】
【００１３】
本発明の内視鏡用照明装置及び内視鏡装置は、発光部材内で蛍光体を樹脂材料により封止する構成にすることで、発光効率を高めて設計自由度の高い構成にできる。
【図面の簡単な説明】
【００１４】
【図１】本発明の実施形態を説明するための図で、内視鏡及び内視鏡が接続される各装置を表す内視鏡装置の構成図である。
【図２】内視鏡装置の具体的な構成例を示す外観図である。
【図３】内視鏡先端部の外観斜視図である。
【図４】発光部材からの出射光の分光特性を示すグラフである。
【図５】（Ａ）は第１の発光部材を模式的に示す概略構成図、（Ｂ）は第２の発光部材を模式的に示す概略構成図、（Ｃ）は第３の発光部材を模式的に示す概略構成図である。
【図６】（Ａ）は第４の発光部材を模式的に示す概略構成図、（Ｂ）は第５の発光部材を模式的に示す概略構成図、（Ｃ）は第６の発光部材を模式的に示す概略構成図である。
【図７】第７の発光部材を模式的に示す概略構成図である。
【図８】蛍光反射膜の波長に対する透過率、反射率の特性を示すグラフである。
【図９】第８の発光部材を模式的に示す概略構成図である。
【図１０】第９の発光部材を模式的に示す概略構成図である。
【図１１】第１０の発光部材を模式的に示す概略構成図である。
【図１２】蛍光体を封止する樹脂材料の特性を示す説明図で、光耐久性と耐湿性との関係を示すグラフである。
【図１３】発光部材の他の構成を示す構成図である。
【図１４】発光部の外側表面を耐湿性コーティング層で覆った発光部材の構成を示す構成図である。
【図１５】スリーブの内周面とカバーガラスの外周面との隙間に、耐湿性コーティング層を形成した発光部材の構成を示す構成図である。
【図１６】従来構成における、温度上昇に伴う各色の蛍光体の発光効率を示すグラフである。
【発明を実施するための形態】
【００１５】
以下、本発明の実施形態について、図面を参照して詳細に説明する。
図１は本発明の実施形態を説明するための図で、内視鏡及び内視鏡が接続される各装置を表す内視鏡装置の構成図、図２は内視鏡装置の具体的な構成例を示す外観図である。
【００１６】
内視鏡装置１００は、図１に示すように、内視鏡１１と、制御装置１３と、モニタ等の表示部１５と、制御装置１３に情報を入力するキーボードやマウス等の入力部１７とを備えている。制御装置１３は、光源装置１９と、撮像画像の信号処理を行うプロセッサ２１とを有して構成される。
【００１７】
内視鏡１１は、本体操作部２３と、この本体操作部２３に連設され被検体（体腔）内に挿入される細長状の挿入部２５とを備える。本体操作部２３には、ユニバーサルコード２７が接続されている。このユニバーサルコード２７の先端は、光源装置１９にライトガイド（ＬＧ）コネクタ２９Ａを介して接続され、また、ビデオコネクタ２９Ｂを介してプロセッサ２１に接続されている。
【００１８】
図２に示すように、内視鏡１１の本体操作部２３には、挿入部２５の先端側で吸引、送気、送水を実施するためのボタンや、撮像時のシャッターボタン等の各種操作ボタン３１が併設されると共に、一対のアングルノブ３３が設けられている。
【００１９】
挿入部２５は、基端側に配置される本体操作部２３から順に、軟性部３５、湾曲部３７、及び先端部（内視鏡先端部）３９で構成される。湾曲部３７は、本体操作部２３のアングルノブ３３を回動することによって遠隔的に湾曲操作されて、これにより先端部３９を所望の方向に向けることができる。
【００２０】
図３に内視鏡先端部の外観斜視図を示した。
内視鏡先端部３９には、撮像光学系の観察窓４１と、照明光学系の照明窓４３Ａ，４３Ｂが配置されている。観察窓４１を挟んで配置された一対の照明窓４３Ａ，４３Ｂから照射される照明光は、被検体に照射される。照射した照明光による被検体からの反射光は、図１に示すように、観察窓４１を通じて撮像素子４５で撮像される。撮像された観察画像は、プロセッサ２１に接続された表示部１５に適宜な画像処理を施した後に表示される。
【００２１】
撮像光学系は、ＣＣＤ(Charge Coupled Device）型イメージセンサや、ＣＭＯＳ（Complementary Metal Oxide Semiconductor）型イメージセンサ等の撮像素子４５と、撮像素子４５に観察像を結像させるレンズ等の光学部材４７とを有する。撮像素子４５の受光面に結像されて取り込まれる観察像は、電気信号に変換されて信号ケーブル５１を通じてプロセッサ２１の撮像信号処理部５３に入力され、この撮像信号処理部５３で映像信号に変換される。
【００２２】
プロセッサ２１は、各部を統括制御する制御部６３と、映像信号を生成する撮像信号処理部５３とを備えている。制御部６３は、撮像信号処理部５３から出力される観察画像の画像データに対し、適宜な画像処理を施して表示部１５に映出させる。また、光源装置１９のレーザ光源ＬＤ１、レーザ光源ＬＤ２に駆動信号を出力して、各照明窓４３Ａ，４３Ｂから所望の光量の照明光を出射させる。この制御部６３は、図示しないＬＡＮ等のネットワークに接続されて、画像データを含む情報を配信する等、内視鏡装置１００全体を制御する。
【００２３】
内視鏡用照明装置である照明光学系は、光源装置１９と、光源装置１９にコネクタ２９Ａを介して接続される一対の光ファイバ５５Ａ，５５Ｂと、光ファイバ５５Ａ，５５Ｂの光出射端にそれぞれ配置した発光部材５７Ａ，５７Ｂとを有する。光源装置１９は、半導体発光素子である青色発光のレーザ光源ＬＤ１と、赤色発光のレーザ光源ＬＤ２と、各レーザ光源ＬＤ１，ＬＤ２からの出射光を合波するコンバイナ６１と、合波された光を分波して各光ファイバ５５Ａ，５５Ｂに導入する光カプラ６２とを有する。
【００２４】
レーザ光源ＬＤ１は、中心波長４４５ｎｍの青色発光の半導体レーザであり、レーザ光源ＬＤ２は、中心波長６４０ｎｍの赤色発光の半導体レーザである。これらレーザ光源ＬＤ１，ＬＤ２は、例えばブロードエリア型のＩｎＧａＮ系レーザダイオードが使用できる。
【００２５】
発光部材５７Ａ，５７Ｂは、レーザ光源ＬＤ１から出射される青色レーザ光の一部を吸収して緑色系に励起発光する蛍光体（例えば、Ca3Sc2Si3O12，(BaSr)2SiO4，(Sr,Ba)Si2O2N2，αサイアロン，βサイアロン等）を含んで構成される。これら発光部材５７Ａ，５７Ｂからの出射光の分光特性を図４に示した。発光部材５７Ａ，５７Ｂからは、レーザ光源ＬＤ１からの青色レーザ光６５と、この青色レーザ光６５が波長変換された緑色の蛍光６７と、レーザ光源ＬＤ２からの赤色レーザ光６９とが合成されて白色光が生成される。なお、図中点線７１は、比較用として、青色レーザ光６５により励起発光するＹＡＧ蛍光体の緑〜黄色の蛍光を示している。
【００２６】
上記各蛍光体の特性を表１に示す。発光効率の温度特性は、(BaSr)2SiO4が比較的低くなるが、発光光量、耐湿性は共に良好であり、実使用に問題はない。なお、表中の◎はＹＡＧ蛍光体に比較して同等以上、○はほぼ同等、△は劣ること、を表している。
【００２７】
【表１】
2013090674.tif 000003
【００２８】
プロセッサ２１の制御部６３は、レーザ光源ＬＤを光量制御して、レーザ光源ＬＤからレーザ光を出力させる。この出力されたレーザ光は、各光ファイバ５５Ａ，５５Ｂに導入され、内視鏡先端部３９まで導光される。光ファイバ５５Ａ，５５Ｂに導光されたレーザ光は発光部材５７Ａ，５７Ｂに照射され、これにより、照明窓４３Ａ，４３Ｂから白色の照明光が出射される。
【００２９】
上記のように本構成の内視鏡装置１００の光源装置は、白色照明用に使用する蛍光体を緑色発光の蛍光体一種類とし、青色レーザ光と緑色蛍光、及び赤色レーザ光を所定(或いは任意）の強度比で混合して白色光を得ている。赤色レーザ光を赤色の照明光とするため、発光効率が比較的低い赤色発光の蛍光体を用いることなく、高効率で高輝度な照明光を生成できる。また、赤色光の強度を青色光の強度とは独立して制御可能になるため、照明光の色調の制御可能範囲が色空間内で拡大すると共に、より微妙な色調調整が可能となる。
【００３０】
また、蛍光体で青色レーザ光を波長変換させて赤色光を生成する場合より、赤色光を赤色レーザ光源で直接生成した方が、エネルギ効率が高く、省電力で、しかも応答性良く所望の光量の照明光が得られる。
【００３１】
そして、発光効率の比較的低い赤色発光の蛍光体がなくなるので、青色レーザ光を発光部材に照射した際の発光部材の発熱が小さく抑えられる。例えば蛍光体をα−サイアロンを用いた場合、レーザ光の照射時の加熱温度は、１５０℃から１２０℃程度にまで低減が可能となる。このため、特に耐熱性の高いガラス等により蛍光体を封止する必要がなくなり、加工の自由度が高い樹脂材料で封止した構成にできる。特に、１５０℃以下の耐熱性樹脂である、フェニルメチルシリコーンを基材とするものでは、密封性も良好な材料であり、耐光性も良好な特性を有する。つまり、気密性、水密性に優れたシリコーン系の材料を使用することで、耐湿性の低い蛍光体を利用することも可能となり、蛍光体の材料選択の自由度が向上する。
【００３２】
また、樹脂材料により蛍光体を封止することで、内視鏡挿入部の先端に配置する発光部材の構造を大きく変更でき、より均一な強度分布の照明光を高効率で得られる構造にできる。例えば、蛍光体を含む発光部材の光出射面積を拡大した構成等、種々の設計変更が可能となる。
【００３３】
次に、発光部材５７Ａ，５７Ｂの具体的な構成例について説明する。
図５（Ａ）〜（Ｃ）はそれぞれ第１〜第３の発光部材を模式的に示す概略構成図である。
＜第１の発光部材の構成＞
図５（Ａ）に光ファイバ５５の光出射端に配置した第１の発光部材８１Ａを示した。第１の発光部材８１Ａは、光ファイバ５５の光出射端に配置される光拡散部８３と、光拡散部８３の光路前方に配置され緑色蛍光体が分散配置された発光部８５と、発光部８５の光路前方で発光部８５を覆う透光性保護層となるレンズ８７とを有して構成されている。この第１の発光部材８１Ａは、内視鏡挿入部の先端部３９に固定される。
【００３４】
発光部８５は、その光路前方側の光出射面８９は、光散乱効果を有する凹凸面で形成されている。光拡散部８３は、光ファイバ５５の光出射端５５ａから光路前方に向けて拡径するテーパ側面９１を有し、全体が円錐状に形成されている。テーパ側面９１は、光出射端５５ａから光拡散部８３に入射された光の一部を全反射して光路前方に向けて出射させることで、光利用効率を向上させている。
【００３５】
＜第２の発光部材の構成＞
図５（Ｂ）に第２の発光部材８１Ｂを示した。第２の発光部材８１Ｂは、発光部８５の光路後方側の光入射面９３が凸状に形成され、発光部８５の中央部が、周辺部より厚肉に形成されている。つまり、発光部８５の光路に対する垂直断面において、中央部がその周縁の領域となる周辺部より厚肉に形成されている。その他の構成は、上記第１の発光部材８１Ａと同様である。
【００３６】
この構成によれば、発光部８５の中央部が特に厚肉に形成されることで、光出射端５５ａから出射される光の強度が大きい領域に蛍光体をより多く配置でき、発光部８５の発光強度を向上できる。即ち、光出射端５５ａから出射される光の強度分布は、光出射端５５ａの中心部分が最大となるガウス分布となる。この光強度分布における光強度の高い領域に対応して、発光部８５の厚みを大きくすることで、発光に寄与する蛍光体が増加する。これにより、発光部８５全体の発光強度が増加する。
【００３７】
＜第３の発光部材の構成＞
図５（Ｃ）に第３の発光部材８１Ｃを示した。第３の発光部材８１Ｃは、発光部８５の光路後方側の光入射面９５が光散乱効果を有する凹凸面で形成されている。その他の構成は、上記第１の発光部材８１Ａと同様である。
【００３８】
この構成によれば、発光部８５の光入射面９５が光散乱効果を有するため、光出射端５５ａからの光が光拡散部８３から発光部８５に入射する際、入射光の強度分布が平均化されて、発光部８５全体が均一に発光する。これにより、発光部材８１Ｃからの出射光の強度分布を均等化でき、ムラのない高品位な照明光が得られる。
【００３９】
＜第４の発光部材の構成＞
図６（Ａ）に第４の発光部材８１Ｄを示した。第４の発光部材８１Ｄは、光拡散部８３が透光性樹脂材料からなり、この透光性樹脂材料からなる光拡散部８３の内部に、透光性樹脂材料とは異なる材料からなる微小バブル９７が混在配置されている。微小バブル９７は、シリコーン樹脂やアクリル、ポリプロピレン等の樹脂材料からなるバブル、又はこれら樹脂などによる中空球で中が気体、例えば空気による空孔で構成されたものとすることができる。その他の構成は、上記第１の発光部材８１Ａと同様である。
【００４０】
この構成によれば、光出射端５５ａから光拡散部８３に入射された光が微小バブル９７によって効率良く光拡散され、均等な光分布となって発光部８５に照射される。このため、発光部８５における発光強度分布がより均一となる。
【００４１】
＜第５の発光部材の構成＞
図６（Ｂ）に第５の発光部材８１Ｅを示した。第５の発光部材８１Ｅは、第４の発光部材８１Ｄの微小バブル９７を、光ファイバ５５の光出射端５５ａ近傍の配置密度を、他の周辺領域より高めて配置している。
【００４２】
この構成によれば、光出射端５５ａから出射される光の強度が大きい領域に微小バブル９７をより多く配置でき、光拡散部８３内における光拡散効果をより向上できる。
【００４３】
＜第６の発光部材の構成＞
図６（Ｃ）に第６の発光部材８１Ｆを示した。第６の発光部材８１Ｆは、第４、第５の発光部材８１Ｄ，８７Ｅの微小バブル９７を、光ファイバ５５の光出射端５５ａを起点として光路前方に向けて延びる光軸を長軸とする回転楕円体の微小バブル９９に形成している。つまり、微小バブル９９を光の進行方向に対して長くなるように整列させている。また、発光部８５にも前述の微小バブル９７を混在配置している。これにより、光入射側に近い光強度分布の高い部分で散乱効率が高められ、光の透過損失を低減できる。
【００４４】
回転楕円体の微小バブル９９は、真球に近い形で形成後、加熱圧縮して潰して、封止樹脂に混入するような工程で形成できる。
【００４５】
この構成によれば、微小バブル９９を回転楕円体とすることで、微小バブル９９に入射した光が光路後方へ散乱することを減少させ、光利用効率を向上できる。また、発光部８５に微小バブル９７を配置することで、発光部８５内における光拡散効果が向上し、発光部８５における発光強度分布がより均一となる。
【００４６】
発光部８５に微小バブル９７を配置することで、蛍光体の密度調整が行え、蛍光体が発生する蛍光の散乱性を向上できる。微小バブル９７は、シリコーン樹脂以外にも、石英ガラスのビーズを用いれば発光部８５の強度を調整でき、酸化鉄を用いれば温度安定性を向上できる。また、窒化珪素を用いれば熱伝導性が向上し、珪藻土を用いれば発光部８５の硬度を調整できる。
【００４７】
＜第７の発光部材の構成＞
図７に第７の発光部材８１Ｇを示した。第７の発光部材８１Ｇは、光ファイバ５５の光出射端５５ａと光拡散部８３との間に、蛍光体の励起光となる青色レーザ光を透過し、蛍光体が発する緑色系の蛍光を反射する蛍光反射膜１０１を設けている。なお、発光部材８１Ｇの光拡散部８３、発光部８５、レンズ８７は、図示例においては第６の発光部材８１Ｆと同一にしているが、他の発光部材８１Ａ〜８１Ｅとしてもよい。
【００４８】
蛍光反射膜１０１は、例えば、光ファイバ５５の出射端面に、ＴｉＯ２膜を適当な厚さ（例えば、膜厚ｔ＝０．８４×屈折率×設計波長（５５０ｎｍ））の薄膜を、スパッタ等で形成する。このようにして作製した薄膜の透過率、反射率の一特性例を図８に示した。この特性によれば、４５０ｎｍ付近の反射率に対して、それ以上の可視域の波長範囲の反射率を増加させることができる。
【００４９】
この構成によれば、蛍光反射膜１０１により発光部からの蛍光が光ファイバ５５を通じて光源側に戻ることを防止でき、光利用効率を向上できる。
【００５０】
＜第８の発光部材の構成＞
図９に第８の発光部材８１Ｈを示した。第８の発光部材８１Ｈは、前述の発光部材８１Ａ〜８１Ｇのレンズ８７の代わりに、ガラス、サファイア等の透光性無機材料層１０３を設けている。また、光拡散部８３における光ファイバ５５の光出射端５５ａから発光部８５までの外周面（円錐側面）に、青色レーザ光、赤色レーザ光、及び蛍光体が発する蛍光を反射する金属反射膜１０５を設けている。その他の構成は、第７の発光部材８１Ｇ（又は発光部材８１Ａ〜８１Ｆ）の構成と同様である。
【００５１】
透光性無機材料層１０３は、図示したように出射光を拡散するレンズ状である他にも、プレート状のカバーであってもよい。この透光性無機材料層１０３は、発光部８５の直上に透光性樹脂層１０７によって固定される。
【００５２】
この構成によれば、透光性無機材料層１０３を発光部材８１Ｈの光出射面に配置することで、内視鏡洗浄時における耐薬品性、耐摩擦性を高め、発光部材の耐久性をより高めることができる。また、光拡散部８３の外周面に金属反射膜１０５を設けることで、光の利用効率が向上し、出射光強度を高められる。また、金属反射膜１０５は、光拡散部８３の外周面から外光が入り込むことを防止する。
【００５３】
＜第９の発光部材の構成＞
図１０に第９の発光部材８１Ｉを示した。第９の発光部材８１Ｉは、前述した光ファイバ５５の光出射端５５ａの形状を変更している他は、前述の発光部材８１Ａ〜８１Ｇの構成と同様に構成できる。光ファイバ５５は、ファイバ中心のコア部１０９と、コア部１０９の外周を覆うクラッド部１１１を有するシングルモード又はマルチモードの光ファイバであり、光出射端５５ａが光拡散部８３の内部に挿入されている。また、光出射端５５ａでは、コア部１０９をクラッド部１１１から外側に突出させている。
【００５４】
この構成によれば、光ファイバ５５により導光された光は、光出射端５５ａの軸方向外側に突出したコア部１０９から出射され、光拡散部８３内に拡散される。前述の発光部材においては、光ファイバ５５の光出射端が軸線に垂直な断面で構成されているが、本構成においては、実質的に導光に寄与するコア部１０９がクラッド部１１１から所定長さ突出することで、コア部１０９の露出面積が拡大する。このため、コア部１０９の発光面積が増大し、光拡散性をより高めることができる。また、突出したコア部１０９が光拡散部８３の内側に配置されることで、導光されてきた光を漏れなく光拡散部８３に導入できる。更に、光拡散部８３にも蛍光体を分散配置することで、発光部８５からの蛍光と相まって、高強度の蛍光が得られる。
【００５５】
コア部１０９をクラッド部１１１から突出させるには、例えば光ファイバの先端をフッ化水素酸等の溶液に浸漬させ、クラッド部１１１が表出するように溶解する工法、光ファイバの先端を円錐状に切削する工法等が利用できる。
【００５６】
＜第１０の発光部材の構成＞
図１１に第１０の発光部材８１Ｊを示した。第１０の発光部材８１Ｊは、図５に示す第１の発光部材８１Ａの光拡散部８３を板状に形成した光拡散部８３Ａとし、発光部５３とは反対側の面の中央に光ファイバ５５の光出射端５５ａを接続している。また、光拡散部８３Ａの光ファイバ５５の光出射端５５ａとの接続面を除く背面、及び側面に、青色レーザ光、赤色レーザ光、及び蛍光体が発する蛍光を反射する金属反射膜１０５を設けている。なお、図示例では光拡散部８３Ａは前述同様に透光性樹脂材料として示しているが、空気層であってもよい。
【００５７】
この構成によれば、発光部材８１Ｊの厚みを小さくでき、よりコンパクトな構成にできる。よって、発光部材８１Ｊの内視鏡への配置自由度が向上して、内視鏡挿入部の小型化に寄与できる。
【００５８】
＜発光部材の他の構成例＞
次に、上記発光部材の他の構成例を説明する。
図１２に蛍光体を封止する樹脂材料の特性を示す説明図で、光耐久性と耐湿性との関係を示すグラフである。一般に、耐湿性の良いシリコーン等の樹脂材料（領域Ａ１の材料）は、耐熱性に乏しく蛍光体の封止材料としては不適である。また、光耐久性が低いためにレンズ周縁部等の光路以外の部分にしか適用できず、使用範囲が限られる。
【００５９】
そこで、前述した構成のように、赤色蛍光体をなくして発光効率の高い緑色蛍光体を用い、レーザ照射時の温度上昇を抑えることで、フェニルメチルシリコーンを基材する樹脂材料（領域Ａ２の材料）が蛍光体の封止材料として使用可能となる。フェニルメチルシリコーンは、１５０℃程度の耐熱性を有し、耐湿性と光耐久性をバランス良く備えて密封性が良好な材料である。
【００６０】
このような光耐久性を向上した樹脂材料で蛍光体を封止することにより、発光部の光耐久性が向上する。しかし、光耐久性を更に向上させるために領域Ａ３の材料を用いると、耐湿性の低下が無視できなくなる。内視鏡内部では、外部からの水の侵入の他、送気送水等による結露を生じることがあり、耐湿性が求められる。
【００６１】
そこで本構成においては、蛍光体を封止する樹脂材料に対しては光耐久性の高い材料で構成すると共に、他の別部材によって発光部全体の耐湿性を向上させる構成にする。つまり、光耐久性と耐湿性の機能を、それぞれ別部材で実現する。
【００６２】
図１３に本構成の発光部材の構成図を示す。
発光部材１２１は、光ファイバ５５の光出射端に対面して配置され緑色蛍光体が分散配置された発光部８５と、発光部８５の光路前方に配置された透光性保護層となるカバーガラス１２３と、発光部８５とカバーガラス１２３の外周を覆い、双方を内周面で支持するスリーブ１２５とを有して構成されている。このスリーブ１２５は、内視鏡挿入部の先端部に一端側が固定され、光出射側とは反対の図示しない他端側は、スリーブ１２５内を水密・気密構造にされている。
【００６３】
発光部８５は、前述同様の緑色系の蛍光を発光する蛍光体を、図１２に示す領域Ａ３に属するメチルシリコン、特にゲル状メチルシリコン等の樹脂内に混在配置した構成である。なお、この樹脂で蛍光体を封止する際は、発光部８５の外表面を外力による損傷を受けにくくするため、石英ガラスビーズや珪藻土を樹脂と混合することが好ましい。蛍光体を石英ガラスなどと混合することで、蛍光体の凝集や部分的な沈降による片寄りを防ぎ、均一に発光させることができる。
【００６４】
蛍光体を封止する樹脂材料に要求される性状としては、硬さ、屈折率（光取り出し効率）、使用する波長範囲における透明性、温湿度・光に対する耐久性、ガス透過性等がある。これらの特性は上記樹脂を用いることで、いずれも良好な範囲に設定できる。
【００６５】
カバーガラス１２３は、その光出射面１２３ａとスリーブ１２５の光出射側端面１２５ａとが同一の面上になるように配置されている。そして、カバーガラス１２３の光出射面１２３ａ上において、少なくとも光出射面１２３ａの外周縁からスリーブ１２５の内周縁までの環状領域を含む範囲に、耐湿性を向上するための耐湿性コーティング層１２７が形成されている。
【００６６】
耐湿性コーティング層１２７は、耐湿性、撥水性の高いセラミック系コーティング材料からなり、カバーガラス１２３とスリーブ１２５との界面から水分が侵入することを確実に防止する。
【００６７】
この構成によれば、発光部８５の蛍光体を封止する樹脂材料として耐湿性の低い材料を用いても、耐湿性コーティング層１２７によって水分の侵入が防止され、発光部８５をスリーブ１２５内で水密、気密状態に維持できる。従って、高い水密性、気密性を維持しつつ、フェニルメチルシリコーンを基材する樹脂材料より更に光耐久性の高い樹脂材料を用いて蛍光体を封止し、発光部８５全体の光耐久性を向上できる。
【００６８】
耐湿性コーティング層１２７は、図１３に示すようにスリーブ１２５の光出射側端面１２５ａとカバーガラス１２３の光出射面１２３ａに設ける構成の他にも、図１４に示すように、発光部８５の外側表面を耐湿性コーティング層１２７Ａで覆う構成としてもよい。この場合には、発光部８５に対して、より確実な防湿効果が得られる。
【００６９】
また、図１５に示すように、スリーブ１２５の内周面とカバーガラス１２３の外周面との隙間に、耐湿性コーティング層１２７Ｂを形成する構成としてもよい。この場合には、水分の通路となるカバーガラス１２３の外周面全体が耐湿性コーティング層１２７Ｂで封止されているので、水分の侵入をより確実に防止できる。
【００７０】
また、耐湿性コーティング層１２７は、上記のような照明窓のみならず、観察画像を得るための観察窓に対しても適用できる。その場合、良好な撥水性により、観察画像に液適による影響が生じることを防止できる。
【００７１】
上記のコーティング層としては、アルコキシシランと混合物のコーティング層、より詳細には、アルコキシ金属塩の加水分解生成物と、金属微粒子又は金属酸化微粒子の分散物を含む層で構成される（例えば特開平10-279885を参照）。
【００７２】
アルコキシ金属塩によるコーティング剤は、アルコール性の加水分解・縮重合型コーティング剤で、疎水性・遮蔽性のあるガラス質の層を形成する。このコーティング層は、高硬度でしかも、耐熱性、撥水性、耐薬品性防蝕性に優れた性質を有する。このため、上記のように、コーティング膜を設けることで、耐湿性（密封性）が高められ、水分の侵入が防止される。また、コーティング層のベーキング処理時においても、銀反射膜に影響を及ぼすような不適正ガスの発生もない。
【００７３】
上記アルコキシシランとしては、例えば以下の材料が挙げられる。テトラメトキシシラン、テトラエトキシシラン、テトラメトキシシランの縮合体（例えばメチルシリケート５１）、テトラエトキシシランの縮合体（例えばメチルシリケート４０）、メチルトリメトキシシラン、フェニルトリメトキシシラン、３−グリシドキシプロピルトリメトキシシラン、３−グリシドキシプロピルメチルジメトキシシラン、３−メタクリロキシプロピルトリメトキシシラン、ジメチルジメトキシシラン、ジフェニルジメトキシシラン。
【００７４】
アルコキシキ金属塩を用いたコーティング層の材料としては、下記の材料を用いることができ、それぞれ特有の効果が得られる。
（Ａ）アルコキシ金属塩と混合物（無機）
（１）ＳｉＯ２単独・・・艶が有り、高硬度であり、撥水性、絶縁性、擦れ耐久性に優れる。
（２）ＳｉＯ２＋アルミナ（Ａｌ２Ｏ３）フィラー混合・・・艶が有り、細かく、汚染防止、耐熱（膨張）性、照明光の散乱性に優れる。
（３）ＳｉＯ２＋ＴｉＯ２（＋アルミナ有り）・・・耐光性が向上し、抗菌性、耐熱性に優れる。
（４）更に、Ａｇを添加・・・脱臭、抗菌、防かび効果があり、赤外線放射（放熱）性、耐蝕性に優れる。
（５）更に、ジルコニア（ＺｒＯ３）を添加・・・高純度、高硬度にでき、高耐熱性、酸化防止効果がある。
（６）更に、酸化鉄を添加・・・高硬度で赤外線放射（放熱）性に優れる。
（７）ＣｅＯ２・・・紫外線吸収効果があり、例えば紫外線で励起させる場合に、波長変換されずに放射される紫外線を吸収する。
（８）酸化マグネシウム・・・密着性に優れる。
（９）Ｃｕ，酸化銅・・・放熱、抗菌、脱臭効果に優れる。
（１０）アルミニウム
（１１）チタン
（１２）珪素、ボロン、窒化ホウ素ＢＮ、シアンＣＮ等のセラミック
【００７５】
（Ｂ）アルコキシ金属塩と混合物（無機と有機）
（１）アクリル・・・下地が荒れている場合に密着性が向上する（しかし、厚く形成すると剥離する）
（２）ブチラール・・・下地が荒れた金属等に好適に適用できる。
（３）フッ素
（４）シリコーン又は変性シリコーン・・・金属、樹脂、ガラスとの密着性が良好となる。
【００７６】
このように、本発明は上記の実施形態に限定されるものではなく、実施形態の各構成を相互に組み合わせることや、明細書の記載、並びに周知の技術に基づいて、当業者が変更、応用することも本発明の予定するところであり、保護を求める範囲に含まれる。
【００７７】
以上の通り、本明細書には次の事項が開示されている。
（１）  内視鏡挿入部の先端に設けた照明窓から被検体に向けて照明光を照射する内視鏡用照明装置であって、
青色光を生成する青色半導体光源と、
赤色光を生成する赤色半導体光源と、
前記青色半導体光源からの青色光及び前記赤色半導体光源からの赤色光を導光する導光部材と、
前記照明窓の内側で前記導光部材の光出射端に対面して配置された発光部材と、
を備え、
前記発光部材が、前記赤色光を実質的に吸収せず透過させ、前記青色光の一部を励起光として吸収して緑色系の蛍光を発すると共に残りの一部を透過させる緑色蛍光体を含んで構成され、
前記緑色蛍光体が、前記発光部材内で樹脂材料により封止されている内視鏡用照明装置。
この内視鏡用照明装置によれば、赤色レーザ光で赤色光を生成するため、発光効率が比較的低い赤色発光の蛍光体を用いることなく、高効率で高輝度な照明光を生成できる。また、赤色光の強度を青色光の強度とは独立して制御可能になるため、照明光の色調の制御可能範囲が色空間内で拡大すると共に、より微妙な色調調整が可能となる。そして、樹脂材料により蛍光体を封止することで、内視鏡挿入部の先端に配置する発光部材の構造を大きく変更でき、より均一な強度分布の照明光を高効率で得られる構造にできる。
【００７８】
（２）  （１）の内視鏡用照明装置であって、
前記導光部材が光ファイバからなる内視鏡用照明装置。
この内視鏡用照明装置によれば、細径な光ファイバにより、レーザ光を内視鏡挿入部を通じて内視鏡挿入部の先端の照明窓まで導光するので、内視鏡挿入部の細径化に寄与できる。
【００７９】
（３）  (１）又は（２）の内視鏡用照明装置であって、
前記発光部材が、前記導光部材の光出射端に配置される光拡散部と、該光拡散部の光路前方に配置され前記緑色蛍光体が分散配置された発光部と、を有して構成される内視鏡用照明装置。
この内視鏡用照明装置によれば、導光部材からの出射光が光拡散部により分散され、発光部における広い面積に均一に照射される。このため、発光部から均一強度の蛍光が取り出せる。
【００８０】
（４）  （３）の内視鏡用照明装置であって、
前記発光部の光路前方側が、光散乱効果を有する凹凸面で形成された内視鏡用照明装置。
この内視鏡用照明装置によれば、発光部の光路前方側を凹凸面で形成することで、発光部の光出射面積を増加させると共に出射光の出射方向をランダムにでき、強度ムラの少ない照明光が得られる。
【００８１】
（５）  （３）又は（４）の内視鏡用照明装置であって、
前記発光部の前記光路に対する垂直断面において、中央部が周辺部より厚肉に形成された内視鏡用照明装置。
この内視鏡用照明装置によれば、導光部材の光出射端からの出射光を、出射光強度の大きい領域に蛍光体をより多く配置できる。このため、発光部の発光強度を向上できる。
【００８２】
（６）  （３）〜（５）のいずれか一つの内視鏡用照明装置であって、
前記発光部の光路後方側が、光散乱効果を有する凹凸面で形成された内視鏡用照明装置。
この内視鏡用照明装置によれば、導光部材の光出射端からの光が光拡散部から発光部に入射する際、入射光の強度分布が平均化されて、発光部全体を均一に発光させることできる。これにより、発光部材からの出射光の強度分布を均等化でき、ムラのない高品位な照明光が得られる。
【００８３】
（７）  （３）〜（６）のいずれか一つの内視鏡用照明装置であって、
前記光拡散部が透光性樹脂材料からなり、前記光拡散部の内部に前記透光性樹脂材料とは異なる材料からなる微小バブルが混在配置された内視鏡用照明装置。
この内視鏡用照明装置によれば、導光部材の出射端から光拡散部に入射された光が微小バブルによって反射・屈折され、効率良く光拡散される。このため、均等な光分布となって発光部に照射され、発光部における発光強度分布がより均一となる。
【００８４】
（８）  （７）の内視鏡用照明装置であって、
前記光拡散部の前記微小バブルが、前記導光部材の光出射端の近傍を他の領域より高い密度で配置された内視鏡用照明装置。
この内視鏡用照明装置によれば、導光部材の光出射端から出射される光が、微小バブルによって効率良く拡散され、光拡散部内の光拡散効果がより向上する。
【００８５】
（９）  （７）又は（８）の内視鏡用照明装置であって、
前記微小バブルが、前記導光部材の光出射端を起点として光路前方に向けて延びる光軸を長軸とする回転楕円体である内視鏡用照明装置。
この内視鏡用照明装置によれば、微小バブルに入射した光が光路後方へ散乱することを減少させ、光利用効率を向上できる。
【００８６】
（１０）  （７）〜（９）のいずれか一つの内視鏡用照明装置であって、
前記発光部に前記微小バブルが混在配置された内視鏡用照明装置。
この内視鏡用照明装置によれば、発光部にも微小バブルを設けることで、発光体内における蛍光体の密度調整が行え、蛍光体が発生する蛍光の散乱性を向上できる。
【００８７】
（１１）  （３）〜（１０）のいずれか一つの内視鏡用照明装置であって、
前記導光部材の光出射端と前記光拡散部との間に、前記青色光及び前記赤色光を透過し、前記蛍光体が発する蛍光を反射する蛍光反射膜を設けた内視鏡用照明装置。
この内視鏡用照明装置によれば、蛍光反射膜により発光部からの蛍光が光ファイバを通じて光源側に戻ることを防止でき、光源を常に安定な状態に保つことができる。また、蛍光を無駄なく利用することで、光利用効率を向上できる。
【００８８】
（１２）  （３）〜（１１）のいずれか一つの内視鏡用照明装置であって、
前記光拡散部材における前記導光部材の光出射端から前記発光部までの外周面に金属反射膜を設けた内視鏡用照明装置。
この内視鏡用照明装置によれば、金属反射膜により光拡散部材内で反射が繰り返され、光路前方に向かう光成分を増加させることでき、光利用効率を向上できる。また、光拡散部材の外周面から外光が入り込むことを防止できる。
【００８９】
（１３）  （１２）の内視鏡用照明装置であって、
前記金属反射膜が銀を含んで構成された内視鏡用照明装置。
この内視鏡用照明装置によれば、高反射率の銀を反射膜にすることで、光損失が抑えられる。
【００９０】
（１４）  （３）〜（１３）のいずれか一つの内視鏡用照明装置であって、
前記緑色蛍光体が、前記光拡散部に分散配置され、
前記導光部材の光出射端が、前記光拡散部の内部に挿入された内視鏡用照明装置。
この内視鏡用照明装置によれば、導光部材の光出射端が光拡散部の内部に配置されることで、導光された光を漏れなく光拡散部に照射できる。また、光拡散部にも緑色蛍光体が分散配置されることで、緑色蛍光体の総量を実質的に増量でき、光拡散部と発光部とから、より高強度の蛍光が得られる。
【００９１】
（１５）  （１４）の内視鏡用照明装置であって、
前記導光部材の光出射端が、光ファイバのコア部がクラッド部から軸方向外側に突出して形成された内視鏡用照明装置。
この内視鏡用照明装置によれば、軸方向外側に突出したコア部から、導光部材を導光されてきた光が、露出したコア部全体から出射され、光拡散効果が高められる。
【００９２】
（１６）  （３）〜（１５）のいずれか一つの内視鏡用照明装置であって、
前記発光部の光路前方に、前記発光部を覆う透光性無機材料層を有する内視鏡用照明装置。
この内視鏡用照明装置によれば、発光部が透光性無機材料層で覆われることで、内視鏡洗浄時における耐薬品性をより高めることができる。
【００９３】
（１７）  （１６）の内視鏡用照明装置であって、
前記透光性無機材料層が、ガラス又はサファイアからなる内視鏡用照明装置。
この内視鏡用照明装置によれば、耐摩擦性を高め、発光部材の耐久性を高めることができる。
【００９４】
（１８）  （１）〜（１７）のいずれか一つの内視鏡用照明装置を搭載した内視鏡装置。
この内視鏡装置によれば、内視鏡挿入部の先端に配置する発光部材の構造を大きく変更でき、より均一な強度分布の照明光を高効率で得られる。
【００９５】
（１９）  （１８）の内視鏡装置であって、
前記内視鏡挿入部の先端に、前記照明窓と該照明窓を収容する開口部とが配置され、
前記照明窓の光出射面上における、前記照明窓の外周縁と前記開口部の内周縁との間の環状領域を少なくとも含む範囲に、耐湿性コーティング層が形成された内視鏡装置。
この内視鏡装置によれば、照明窓の光出射面上における照明窓と開口部との間の環状領域に耐湿性コーティング層が形成されることで、この環状領域からの水分の侵入を確実に防止できる。
【００９６】
（２０）  （１８）の内視鏡装置であって、
前記発光部の外側表面が、耐湿性コーティング層で覆われた内視鏡装置。
この内視鏡装置によれば、発光部が耐湿性コーティング層で覆われることで、発光部に対する水分の侵入を確実に防ぐことができる。
【００９７】
（２１）  （１８）の内視鏡装置であって、
前記内視鏡挿入部の先端に、前記照明窓と、該照明窓の外周面と接合される内周面を有する開口部とが配置され、
前記照明窓の外周面と前記開口部の内周面との間に耐湿性コーティング層が形成された内視鏡装置。
この内視鏡装置によれば、水分の通路となる照明窓の外周面と開口部の内周面とが耐湿性コーティング層で封止されるため、水分の侵入をより確実に防止できる。
【００９８】
（２２）  （１８）〜（２１）のいずれか一つの内視鏡装置であって、
前記耐湿性コーティング層が、アルコキシ金属塩の加水分解生成物、金属微粒子又は金属酸化物の微粒子の分散物を含む組成である内視鏡装置。
この内視鏡装置によれば、撥水性の良好な材料により水分の侵入を確実に防止できる。
【符号の説明】
【００９９】
１１  内視鏡
１９  光源装置
２５  挿入部
３９  先端部（内視鏡先端部）
４３Ａ，４３Ｂ  照明窓
４７  光学部材
５５，５５Ａ，５５Ｂ  光ファイバ
５５ａ  光出射端
５７Ａ，５７Ｂ  発光部材
６５  青色レーザ光
６７  緑色の蛍光
６９  赤色レーザ光
８１，８１Ａ，８１Ｂ，８１Ｃ，８１Ｄ，８１Ｅ，８１Ｆ，８１Ｇ，８１Ｈ，８１Ｉ，８１Ｊ  発光部材
８３，８３Ａ  光拡散部
８５  発光部
８７  レンズ
８９  光出射面
９１  テーパ側面
９３  光入射面
９５  光入射面
９７  微小バブル
９９  微小バブル
１００  内視鏡装置
１０１  蛍光反射膜
１０３  無機ガラス
１０５  金属反射膜
１０７  透光性樹脂層
１０９  コア部
１１１  クラッド部
１２１  発光部材
１２３  カバーガラス
１２５  スリーブ
１２５ａ  光出射側端面
１２７，１２７Ａ，１２７Ｂ  耐湿性コーティング層
ＬＤ１  青色レーザ光源
ＬＤ２  赤色レーザ光源
【図１】
2013090674.tif 000004
【図２】
2013090674.tif 000005
【図３】
2013090674.tif 000006
【図４】
2013090674.tif 000007
【図５】
2013090674.tif 000008
【図６】
2013090674.tif 000009
【図７】
2013090674.tif 000010
【図８】
2013090674.tif 000011
【図９】
2013090674.tif 000012
【図１０】
2013090674.tif 000013
【図１１】
2013090674.tif 000014
【図１２】
2013090674.tif 000015
【図１３】
2013090674.tif 000016
【図１４】
2013090674.tif 000017
【図１５】
2013090674.tif 000018
【図１６】
2013090674.tif 000019